(57)【要約】【課題】表示品質を向上させた表示装置及び光学シートの製造方法を提供する。【解決手段】本発明の表示装置は、複数のピクセルを含む表示パネルと、表示パネルに光を供給するバックライトユニットと、を備える。バックライトユニットは、光を生成する光源と、表示パネルと面する一面に複数の峰と谷が配列されて光の経路を変更する複数のプリズムパターンを具備し、ピクセルと重畳する複数の峰と谷に所定の間隔で複数の拡散パターンが配置された光学シートを含む。【選択図】図３
2010079249.tif 000002
【特許請求の範囲】
【請求項１】
複数のゲートラインと複数のデータラインで定義される複数のピクセルを含む表示パネルと、
前記表示パネルの後面に配置されて前記表示パネルに光を供給するバックライトユニットと、を備え、
前記バックライトユニットは、
光を生成する光源と、
前記表示パネルと面する一面に配列された複数の峰と谷を具備して光の経路を変更する複数のプリズムパターン、及び前記ピクセルと重畳する前記複数の峰と谷に所定の間隔で配置された複数の拡散パターンを有する光学シートと、を含むことを特徴とする表示装置。
【請求項２】
前記複数のピクセルの各々は、赤色、緑色、青色のサブピクセルを含み、該赤色、緑色、青色のサブピクセルは、第１方向に長く延び、前記第１方向と直角をなす第２方向に配列されることを特徴とする請求項１に記載の表示装置。
【請求項３】
前記複数のプリズムパターンは、前記複数のゲートライン又は前記複数のデータラインと所定の角度に傾斜して配置されることを特徴とする請求項２に記載の表示装置。
【請求項４】
前記複数のプリズムパターンが前記ゲートラインに対して傾斜する場合、２３°〜３０°の角度で傾斜をなすことを特徴とする請求項３に記載の表示装置。
【請求項５】
前記複数の拡散パターンの各々は、
隣接する峰と谷から各々Ｐ／（２ｃｏｓθ）の距離に離隔されて配置され、該Ｐは前記プリズムパターンのピッチであり、該θは前記所定の角度であり、θ≠９０°、２７０°であることを特徴とする請求項３に記載の表示装置。
【請求項６】
前記複数の拡散パターンのうち、同一の峰又は同一の谷に配列された拡散パターンの各々は、隣接する拡散パターンからＸ／（ｃｏｓθ）の距離に離隔されて配置され、該Ｘは前記第１方向に伸びた互いに隣接する二つのサブピクセルを平面上で各々二等分する二つの直線間の距離であり、該θは前記所定の角度であり、θ≠９０°、２７０°であることを特徴とする請求項５に記載の表示装置。
【請求項７】
前記赤色、緑色、青色サブピクセルの各々は、前記谷に配列された拡散パターンのうちの少なくとも一つの拡散パターン、及び前記峰に配列された前記拡散パターンのうちの少なくとも一つの拡散パターンと重畳することを特徴とする請求項６に記載の表示装置。
【請求項８】
前記複数の拡散パターンは、各々５〜５０μｍの直径を有することを特徴とする請求項２に記載の表示装置。
【請求項９】
前記複数のプリズムパターンは、１００〜３００μｍのピッチで配列されることを特徴とする請求項８に記載の表示装置。
【請求項１０】
前記複数の拡散パターンは、前記峰と谷の延長方向に垂直な方向に切断した断面が円形の一部と楕円形の一部のうちの何れか一つの形態をなして前記表示パネルに向けて突出することを特徴とする請求項２に記載の表示装置。
【発明の詳細な説明】
【技術分野】
【０００１】
本発明は、表示装置に関し、より詳細には、表示品質を向上させた表示装置に関する。
【背景技術】
【０００２】
液晶表示装置（Ｌｉｇｈｔ  Ｃｒｙｓｔａｌ  Ｄｉｓｐｌａｙ：ＬＣＤ）は、軽量、薄型、低消費電力駆動などの特徴によって、その応用範囲が漸次に広がっている趨勢である。このような液晶表示装置は、２枚の透明基板の間に液晶セルがマトリックス形態に配列された液晶表示パネルと、液晶表示パネルを駆動するためのパネル駆動部と、液晶表示パネルに光を供給するバックライトユニット（Ｂａｃｋ  Ｌｉｇｈｔ  Ｕｎｉｔ）で構成される。
【０００３】
バックライトユニットは、液晶表示パネルに光を供給する光源と、光源から入射する光を液晶表示パネルに導く導光板と、導光板の上部に積層される複数の光学シートとを具備する。
【０００４】
光学シートは、拡散シートと、プリズムシートと、保護シートで構成することができる。プリズムシートは、峰と谷が交番する形態のプリズムパターンが形成され、峰のピッチと液晶表示パネルの画素ピッチ間に干渉が起きると波模様のモアレ現象（ｍｏｉｒｅ  ｐｈｅｎｏｍｅｎｏｎ）が発生する。
【先行技術文献】
【特許文献】
【０００５】
【特許文献１】韓国特許公開第２００８−０１９８０２号明細書
【特許文献２】韓国特許公開第２００８−０３７３０８号明細書
【特許文献３】韓国特許第０８３７３０５号明細書
【発明の概要】
【発明が解決しようとする課題】
【０００６】
そこで、本発明は、上記従来の問題点に鑑みてなされたものであって、本発明の目的は、表示品質を向上させた表示装置を提供することにある。
【課題を解決するための手段】
【０００７】
上記目的を達成するためになされた本発明による表示装置は、互いに交差する複数のゲートラインと複数のデータラインで定義される複数のピクセルを含む表示パネルと、前記表示パネルの後面に配置されて前記表示パネルに光を供給するバックライトユニットと、を備える。前記バックライトユニットは、光を生成する光源と、前記表示パネルと面する一面に複数の峰と谷が配列されて光の経路を変更する複数のプリズムパターンを具備し、前記ピクセルと重畳する前記複数の峰と谷に所定の間隔で複数の拡散パターンが配置された光学シートを含む。
前記複数のピクセルの各々は、赤色、緑色、青色のサブピクセルを含み、該赤色、緑色、青色のサブピクセルは、第１方向に長く延び、前記第１方向と直角をなす第２方向に配列され得る。
前記複数のプリズムパターンは、前記複数のゲートライン又は前記複数のデータラインと約２３°〜３０°の角度をなして配置され得る。
前記複数の拡散パターンの各々は、隣接する峰と谷から各々Ｐ／（２ｃｏｓθ）の距離に離隔されて配置され、該Ｐは前記プリズムパターンのピッチであり、該θは前記所定の角度であり、θ≠９０°、２７０°である。
前記複数の拡散パターンのうち、同一の峰又は同一の谷に配列された拡散パターンの各々は、隣接する拡散パターンからＸ／（ｃｏｓθ）の距離に離隔されて配置され、該Ｘは前記第１方向に伸びた互いに隣接する二つのサブピクセルを平面上で各々二等分する二つの直線間の距離であり、該θは前記所定の角度であり、θ≠９０°、２７０°である。
前記赤色、緑色、青色サブピクセルの各々は、前記谷に配列された拡散パターンのうちの少なくとも一つの拡散パターン、及び前記峰に配列された前記拡散パターンのうちの少なくとも一つの拡散パターンと重畳することができる。
【発明の効果】
【０００８】
本発明の表示装置によれば、光学シートの拡散パターンを表示パネルのピクセルに重畳させて透過する光の輝度を変化させることによって、輝度パターンの周期性を弱化させてモアレ現象の発生を減少させる。
上述の光学シートの製造方法によれば、金属からなるローラにレーザー加工で溝を形成し、ベースシートを加圧することによって、拡散パターンを容易に形成することができる。
【図面の簡単な説明】
【０００９】
【図１】本発明の一実施形態による表示装置を示す分解斜視図である。
【図２】図１に示した表示パネルとバックライトユニットの断面を示す断面図である。
【図３】図１に示した光学シートの一実施形態を表示パネルと共に示す平面図である。
【図４】本発明の一実施形態による表示装置の画質検査のためのパターンを示す図である。
【図５】本発明の一実施形態による表示装置の画質検査のためのパターンを示す図である。
【図６】本発明の一実施形態による表示装置の画質検査のためのパターンを示す図である。
【図７】本発明の一実施形態による表示装置の画質検査のためのパターンを示す図である。
【図８】図４に示した画質検査パターンによる画像が表示された表示パネルを示す図である。
【図９】図５に示した画質検査パターンによる画像が表示された表示パネルを示す図である。
【図１０】図６に示した画質検査パターンによる画像が表示された表示パネルを示す図である。
【図１１】図７に示した画質検査パターンによる画像が表示された表示パネルを示す図である。
【図１２】図１に示した光学シートの他の実施形態を示す断面図である。
【図１３】本発明の一実施形態による光学シートの製造方法を説明するための図である。
【図１４】本発明の一実施形態による光学シートの製造方法を説明するための図である。
【図１５】本発明の一実施形態による光学シートの製造方法を説明するための図である。
【図１６】本発明の一実施形態による光学シートの製造方法を説明するための図である。
【発明を実施するための形態】
【００１０】
以下、本発明による表示装置及び光学シートの製造方法を実施するための形態を、図面を参照しながら詳細に説明する。上記発明が解決しようとする課題、課題を解決するための手段、及び発明の効果は、図面を参照しながら説明する実施形態を通じて容易に理解されるはずである。本発明は、ここで説明する実施形態に限定されず、多様な形態に応用されて変形することができる。以下の実施形態は、本発明によって開示される技術思想をより明確にするものであり、本発明が属する分野で通常の知識を有する当業者に本発明の技術思想が十分に伝わることができるように提供されるものである。従って、本発明の範囲が後述する実施形態に限定されるものと解釈してはならない。一方、図面は、明確な説明のために一部を簡略化或いは誇張して表現した。図面に表現された同一の参照番号は同一の構成要素を示す。
【００１１】
図１は、本発明の一実施形態による表示装置を示す分解斜視図であり、図２は、図１に示した表示パネルとバックライトユニットの断面を示す断面図である。
【００１２】
図１及び図２を参照すると、表示装置５０は、画像を表示する表示パネル１００と、表示パネル１００を駆動するゲート駆動部２１０と、データ駆動部２２０と、表示パネル１００に光を供給するバックライトユニット３００と、これらを格納するモールドフレーム４００とを含む。
【００１３】
表示パネル１００は、薄膜トランジスタ基板１１０と、カラーフィルタ基板１２０と、これらの間に介在する液晶１３０とを含む。
【００１４】
薄膜トランジスタ基板１１０は、一方向に延びて形成された複数のゲートライン１１１と、ゲートライン１１１と実質的に直交する方向に延びた複数のデータライン１１２と、各々のゲートライン１１１のうちで対応するゲートラインと各々のデータライン１１２のうちで対応するデータラインに接続された複数の薄膜トランジスタ１１５と、薄膜トランジスタ１１５と一対一に対応して接続された複数の画素電極１１７とを含む。
【００１５】
カラーフィルタ基板１２０は、画像が表示されない部分をカバーするブラックマトリックス１２１と、赤色、緑色、青色を表示するためのカラーフィルタ１２２と、画素電極１１７と対応して電界を形成する共通電極１２８とを含む。
【００１６】
液晶１３０は、誘電率異方性を有し、薄膜トランジスタ基板１１０とカラーフィルタ基板１２０の間で配向される。液晶１３０は、バックライトユニット３００から供給される光の透過率を調節する。
【００１７】
薄膜トランジスタ基板１１０とカラーフィルタ基板１２０には、各々、第１偏光フィルム１３１と第２偏光フィルム１３３が結合される。第１偏光フィルム１３１と第２偏光フィルム１３３は、各々入射された光を偏光する。第１偏光フィルム１３１と第２偏光フィルム１３３のうちの少なくとも何れか一つには眩しさ防止層（図示せず）を形成することができる。
【００１８】
ゲート駆動部２１０は、薄膜トランジスタ基板１１０の一側面にチップオングラス（Ｃｈｉｐ  Ｏｎ  Ｇｌａｓｓ）方式で配置される。ゲート駆動部２１０は、ゲートライン１１１にゲートオン／オフ信号を供給する。
【００１９】
データ駆動部２２０は、テープキャリアパッケージ（Ｔａｐｅ  Ｃａｒｒｉｅｒ  Ｐａｃｋａｇｅ）方式で信号電送フィルム２２５上に実装される。データ駆動部２２０は、信号電送フィルム２２５を通じて薄膜トランジスタ基板１１０と駆動回路基板２４０に電気的に接続される。また、データ駆動部２２０は、データライン１１２に接続された薄膜トランジスタ１１５に画素データを供給する。
【００２０】
駆動回路基板２４０は、複数の信号電送ラインが具備された印刷回路基板で形成される。駆動回路基板２４０には、タイミングコントローラ２３０と各種の電子素子が実装される。タイミングコントローラ２３０は、外部から電源と多様な信号が供給されてゲート駆動部２１０とデータ駆動部２２０に制御信号を供給し、画像を表示するための画素データをデータ駆動部２２０に供給する。また、駆動回路基板２４０は、信号電送フィルム２２５を通じてゲート駆動部２１０とデータ駆動部２２０に電源を供給する。
【００２１】
バックライトユニット３００は、表示パネル１００の下側に位置して表示パネル１００に光を供給する。このために、バックライトユニット３００は、光源３１０と、導光板３２０と、反射シート３３０と、拡散シート３３５と、光学シート３４０とを含む。
【００２２】
光源３１０は、表示パネル１００に供給する光を生成する。光源３１０は、複数の発光ダイオード（Ｌｉｇｈｔ  Ｅｍｉｔｔｉｎｇ  Ｄｉｏｄｅ：ＬＥＤ）、又はランプで形成することができる。ここでは、表示装置５０の厚さを減少させるために発光ダイオードで形成された光源３１０を説明する。光源３１０は、光源基板３１５に実装される。また、光源３１０は、導光板３２０の一側面に位置して導光板３２０に光を放出する。
【００２３】
光源基板３１５は、フレキシブル印刷回路基板で形成することができる。光源基板３１５は、電源装置（図示せず）と電気的に接続されて光源３１０に電源を供給する。光源基板３１５は、モールドフレーム４００に格納される。
【００２４】
導光板３２０は、光源３１０に隣接して配置され、側面から供給される光が表示パネル１００に向かうように光の進行方向を変更する。導光板３２０は、アクリル材質からなることができ、光の反射のためのドット及びＶ型パターンを含むことができる。
【００２５】
反射シート３３０は、導光板３２０下に配置されて導光板３２０の下部に放出される光を表示パネル１００に向けて反射させる。
【００２６】
拡散シート３３５は、導光板３２０上に配置されて導光板３２０から放出される光が表示パネル１００に均一に入射するように光を拡散させる。
【００２７】
光学シート３４０は、拡散シート３３５上に配置される。光学シート３４０は、透明な高分子物質からなるベースシート３４５とベースシート３４５の一面に配置された複数のプリズムパターン３４７を含む。プリズムパターン３４７は、入射した光が表示パネル１００に垂直に出射するように光の経路を変更する。また、プリズムパターン３４７は、各々ベースシート３４５に対して一定の角度で傾いた両側面が接して形成される峰３５０と、峰３５０と峰３５０間に位置して所定の深さを有する谷３６０とを含む。光学シート３４０は、プリズムパターン３４７に各々所定の間隔で配置される複数の拡散パターン３７０を含む。拡散パターン３７０は、峰３５０に位置する場合に集光効果を減少させ、谷３６０に位置する場合に集光効果を向上させる。光学シート３４０は、拡散パターン３７０を通じて集光効果が部分的に変わることによって、モアレ現象の発生を減少させることができる。もし、拡散パターン３７０が光学シート３４０に形成されないと、モアレ現象を減少させるために光学シート３４０は表示パネル１００からより離隔して配置しなければならない。これに反し、拡散パターン３７０を含む光学シート３４０は、表示パネル１００までの距離に関わらず、モアレ現象を減少させることができて表示装置５０のスリム化に寄与することができる。
【００２８】
バックライトユニット３００は、表示パネル１００の側面から光を供給するエッジ型のみではなく、表示パネル１００の下部から光を供給する直下型で形成されうる。また、バックライトユニット３００は、光学シート３４０の上部に配置されて光学シート３４０を保護する保護シート（図示せず）を更に含むことができる。
【００２９】
モールドフレーム４００は、プラスチックなどの絶縁物質からなる。モールドフレーム４００は、表示パネル１００及びバックライトユニット３００を格納して外部の衝撃からこれらを保護する。
【００３０】
図３は、図１に示した表示パネルと光学シートの一部を示した平面図である。
【００３１】
図３を参照すると、表示パネル１００は、複数のピクセル１６０を含む。ピクセル１６０は、一辺が約２５０μｍ〜３００μｍの長さを有する実質的に正方形形状に形成され、より具体的には一辺が約２８３．５μｍの長さを有することができる。ピクセル１６０は、各々３個のサブピクセル１６１、１６３、１６５を含むことができる。３個のサブピクセル１６１、１６３、１６５は、各々赤色、緑色、青色を表示することができる。即ち、ピクセル１６０は、赤色サブピクセル１６１と、緑色サブピクセル１６３と、青色サブピクセル１６５（以下、サブピクセル）とを含む。サブピクセル１６１、１６３、１６５は、表示パネル１００のデータライン（図示せず）が延びる第１方向に長く延びて、第１方向に直角な第２方向に配列される。
【００３２】
図２及び図３を参照すると、光学シート３４０は、表示パネル１００と面する一面に複数のプリズムパターン３４７が配列される。プリズムパターン３４７は、約１００〜３００μｍのピッチＰに配列することができる。ピッチＰは、峰３５０と峰３５０間の距離で定義することができる。ここで、プリズムパターン３４７のピッチＰが１００μｍ以下である場合には集光効率が減少し、３００μｍ以上である場合にはピクセル１６０の大きさを超過してピクセル１６０に不規則な輝度の光を供給することがある。
【００３３】
光学シート３４０は、表示パネル１００の下部に位置し、プリズムパターン３４７がサブピクセル１６１、１６３、１６５に対して所定の角度θに傾斜をなすように配置することができる。ここで、プリズムパターン３４７は、ゲートラインが延びた第２方向に延びる基準線Ａ−Ａ’と傾斜をなして配置することによって、サブピクセル１６１、１６３、１６５の配列周期とプリズムパターン３４７のピッチＰ間の干渉によって発生するモアレ現象を防止することができる。図３に示さないが、基準線Ａ−Ａ’は、データラインが延びた第１方向に延びることもありうる。即ち、プリズムパターン３４７は、表示パネル１００のゲートライン又はデータラインのうちのいずれか一つのラインと所定の角度θに傾斜をなして配置することができる。本実施形態においては、基準線Ａ−Ａ’が第２方向に延び、プリズムパターン３４７が基準線Ａ−Ａ’に対して角度θに傾いて配置された構造を例として説明する。
【００３４】
モアレ現象は、プリズムパターン３４７を透過した光がサブピクセル１６１、１６３、１６５に入射してサブピクセル１６１、１６３、１６５で所定の周期性があることによって発生する。具体的に、サブピクセル１６１、１６３、１６５には、複数の峰３５０を透過した光によって、ライン形態の明るい部分があり、複数の谷３６０を透過した光によってライン形態の暗い部分がある。ここで、暗い部分は、明るい部分に対比して相対的に低い輝度を有する。規則的に配列されたサブピクセル１６１、１６３、１６５で明るい部分と暗い部分が交番すると、所定の周期性によって波模様を認めることができる。もし、プリズムパターン３４７のピッチがピクセル１６０の配列周期と正確に同一であるとすると、モアレ現象が発生しないことがあるが、これは実質的に具現することは難しい。従って、周期性を弱化させるためにプリズムパターン３４７がサブピクセル１６１、１６３、１６５に傾斜をなして配置される。
【００３５】
プリズムパターン３４７は、基準線Ａ−Ａ’と約２３°〜約３０°の傾斜をなすことができる。より具体的に、プリズムパターン３４７は、基準線Ａ−Ａ’と約２８°の傾斜をなすことができる。プリズムパターン３４７が基準線Ａ−Ａ’と約２２°未満の角度に傾斜をなすか、或いは約３１°超過の角度に傾斜をなす場合、モアレ現象の発生が増加されうる。
【００３６】
峰３５０と谷３６０は、サブピクセル１６１、１６３、１６５のうちの一つ以上のサブピクセルと重畳するので、サブピクセル１６１、１６３、１６５の各々は、一つ以上の明るい部分と、一つ以上の暗い部分とを有する。従って、明るい部分と暗い部分の輝度を変化させて周期性を弱化させるためにサブピクセル１６１、１６３、１６５に拡散パターン３７０を重畳させる。
【００３７】
サブピクセル１６１、１６３、１６５と重畳するプリズムパターン３４７には、所定の間隔で各々一つ以上の拡散パターン３７０が配置される。例えば、拡散パターン３７０は、サブピクセル１６１、１６３、１６５の各々を二等分するようにサブピクセル１６１、１６３、１６５の長さ方向に延びた中心線に重なった峰３５０と谷３６０に配置することができる。拡散パターン３７０は、峰３５０と谷３６０の延長方向に垂直な方向に切断した断面が、円形の一部と楕円形の一部のうちの何れか一つの形態を形成し、表示パネル１００に向けて突出する。拡散パターン３７０の各々は、約５〜５０μｍの直径を有する。ここで、拡散パターン３７０の位置は、上記中心線に重畳する部分に限定されるものではなく、サブピクセル１６１、１６３、１６５と重畳する峰３５０と谷３６０に配置することもできる。
【００３８】
拡散パターン３７０は、第１間隔Ｉ１によって峰３５０と谷３６０上に配置することができる。互いに隣接する峰３５０と谷３６０に配置された拡散パターン３７０の間の第１間隔Ｉ１は、数式１によって決まる。
【００３９】
【数１】
2010079249.tif 000003
ここで、Ｐはプリズムパターン３４７のピッチであり、θは所定の角度θ≠９０°、２７０°である。サブピクセル１６１、１６３、１６５は、各々少なくとも二つの拡散パターン３７０と重畳する。
【００４０】
また、拡散パターン３７０は、プリズムパターン３４７のうちの同一の峰３５０で第２間隔Ｉ２に配置することができる。第２間隔Ｉ２は、互いに隣接する二つのサブピクセル、例えば赤色サブピクセル１６１と緑色サブピクセル１６３の中心線間の距離によって数式２のように決まる。
【００４１】
【数２】
2010079249.tif 000004
ここで、Ｘは各中心線間の距離であり、θは所定の角度θ≠９０°、２７０°である。
【００４２】
図４〜図７は、本発明の一実施形態による表示装置の画質検査のためのパターンを示す図であり、図８〜図１１は、図４〜図７に示した画質検査パターンによる画像が表示された表示パネルを示す図である。
【００４３】
本発明の光学シートを使用した表示装置は、モアレ現象が減る効果があり、多様な種類の画質検査パターンを表示パネルに具現させることによって、モアレ現象の減少可否を確認することができる。
【００４４】
図４〜図７は、各々表示パネルの画質を検査するためのホワイトパターン、ドットパターン、垂直ラインパターン、及び水平ラインパターンである。表示パネルは、画質検査パターンが入力されると、各々、赤色、緑色、青色のサブピクセルを含む複数のピクセルを利用して所定の画像を表示する。
【００４５】
表示パネルにおいて、各ピクセルの一辺の大きさは２８３．５μｍである。また、表示パネルに集光された光を伝達する光学シートは、一面に１６９μｍのピッチを有するプリズムパターンがサブピクセルの配列方向に２８°の傾斜をなして配列され、プリズムパターンには拡散パターンが配置される。
【００４６】
図８は、ホワイトパターンが適用された画像を表示した表示パネルであり、図９は、ドットパターンが適用された画像を表示した表示パネルである。図１０は、垂直ラインパターンが適用された画像を表示した表示パネルであり、図１１は、水平ラインパターンが適用された画像を表示した表示パネルである。
【００４７】
図８〜図１１を参照すると、拡散パターンが配置された光学シートが表示パネルで反復的に変わる輝度の周期性を弱化させることによって、モアレ現象の発生を減少させている。
【００４８】
図１２は、図１に示した光学シートの他の実施形態を示す断面図である。図１２において、図２と比較して同一の構成要素に対する重畳説明は省略する。
【００４９】
図１２を参照すると、光学シート３４０は、ベースシート３４５の一面に配置された複数の峰３５０と、谷３６０と、複数の峰３５０と谷３６０に配置された複数の拡散パターン３７０と、複数の峰３５０と谷３６０が配置された一面に対向する他面に配置された複数の反射パターン３９０とを含む。
【００５０】
反射パターン３９０は、接着剤、或いは粘着剤を利用してベースシート３４５と結合することができる。反射パターン３９０は、光を反射することができる物質からなり、例えば酸化チタニウムＴｉＯｘ、及びアクリル酸塩（ａｃｒｙｌａｔｅ）樹脂を含むことができる。
【００５１】
反射パターン３９０は、複数の谷３６０に入射する光を反射して、複数の峰３５０に再入射するように誘導することによって、光学シート３４０を透過した光の輝度を向上させる。
【００５２】
図１３〜図１６は、本発明の一実施形態による光学シートの製造方法を説明するために示す図である。
【００５３】
図１３を参照すると、先ず、透明な高分子物質を圧出して、薄い厚さを有するベースシート３４５を用意する。
【００５４】
次に、ベースシート３４５の一面上にローラ５５０を配置する。ローラ５５０は、金属からなり、図１４に示したように、外面に一方向に延びる複数の加圧部５６０と減圧部５７０が配列される。また、複数の加圧部５６０と減圧部５７０に各々所定の間隔で複数の第１溝５６７と複数の第２溝５６５が形成される。ここで、第１溝５６７と第２溝５６５は、ローラ５５０の一部をレーザー加工して形成することができる。一方、第１溝５６７の間隔と第２溝５６５の間隔は、図３に示した拡散パターンに対する説明を参照する。
【００５５】
次に、ローラ５５０によりベースシート３４５の一面を加圧して、図１５に示したように複数の峰３５０と谷３６０、及び峰３５０と谷３６０に配置された複数の拡散パターン３７０を形成する。峰３５０は、減圧部５７０によって形成され、谷３６０は、加圧部５６０によって形成される。
【００５６】
拡散パターン３７０は、第１溝５６７と第２溝５６５によってベースシート３４５の外面に突出して形成される。この際、拡散パターン３７０は、複数の峰３５０と谷３６０が延びる方向に垂直な方向に切断した断面が、円の一部或いは楕円の一部のうちの何れか一つの形状をなすように形成することができる。
【００５７】
次に、図１５と図１６を参照すると、ベースシート３４５、複数の峰３５０と谷３６０、及び拡散パターン３７０に紫外線を照射し、これらを硬化して光学シート３４０を形成する。ここで、複数の峰３５０と谷３６０の間隔は、図３の説明部分を参照する。
【００５８】
一方、ベースシートの他面に酸化チタニウムＴｉＯｘとアクリル酸塩（ａｃｒｙｌａｔｅ）樹脂からなる反射パターンを接着剤、或いは粘着剤で結合することができる。
【００５９】
上述のように、光学シートの拡散パターンを表示パネルのピクセルに重畳させて透過する光の輝度を変化させることによって、輝度パターンの周期性を弱化させてモアレ現象の発生を減少させる。
【００６０】
また、金属からなるローラにレーザー加工で溝を形成し、ベースシートを加圧することによって、拡散パターンを容易に形成することができる。
【００６１】
以上、本発明を実施するための形態について説明したが、本発明は、上述の実施形態に限定されるものではなく、本発明の技術的範囲から逸脱しない範囲内で多様に変更実施することが可能である。
【符号の説明】
【００６２】
５０    表示装置
１００    表示パネル
１１０    薄膜トランジスタ基板
１１１    ゲートライン
１１２    データライン
１１５    薄膜トランジスタ
１１７    画素電極
１２０    カラーフィルタ基板
１２１    ブラックマトリックス
１２２    カラーフィルタ
１２８    共通電極
１３０    液晶
１３１    第１偏光フィルム
１３３    第２偏光フィルム
１６０    ピクセル
１６１    赤色サブピクセル
１６３    緑色サブピクセル
１６５    青色サブピクセル
２１０    ゲート駆動部
２２０    データ駆動部
２２５    信号電送フィルム
２３０    タイミングコントローラ
２４０    駆動回路基板
３００    バックライトユニット
３１０    光源
３１５    光源基板
３２０    導光板
３３０    反射シート
３３５    拡散シート
３４０    光学シート
３４５    ベースシート
３４７    プリズムパターン
３５０    峰
３６０    谷
３７０    拡散パターン
３９０    反射パターン
４００    モールドフレーム
５５０    ローラ
５６０    加圧部
５６５    第２溝
５６７    第１溝
５７０    減圧部
【図１】
2010079249.tif 000005
【図２】
2010079249.tif 000006
【図３】
2010079249.tif 000007
【図４】
2010079249.tif 000008
【図５】
2010079249.tif 000009
【図６】
2010079249.tif 000010
【図７】
2010079249.tif 000011
【図８】
2010079249.tif 000012
【図９】
2010079249.tif 000013
【図１０】
2010079249.tif 000014
【図１１】
2010079249.tif 000015
【図１２】
2010079249.tif 000016
【図１３】
2010079249.tif 000017
【図１４】
2010079249.tif 000018
【図１５】
2010079249.tif 000019
【図１６】
2010079249.tif 000020